(57)【要約】      （修正有）【課題】装着者の顎や口の動きに追従しうるようにしたプリーツマスクの提供。【解決手段】プリーツを有するフィルターと、接顔布２と、顔面の形状に沿った立体形状を有する保形具６とからなり、前記フィルタの周縁部と接顔布との周縁部が接合されているプリーツマスクであって、前記保形具は接合されている周縁部間に挿入されており、且つ、顎や口の動きに追従してプリーツマスクと顔面との気密性を確保したことを特徴とする密着性に優れたプリーツマスクである。【選択図】図２
0003117120.tif 000002
【実用新案登録請求の範囲】
【請求項１】
プリーツを有するフィルターと、接顔布と、顔面の形状に沿った立体形状を有する保形具とからなり、前記フィルタの周縁部と接顔布との周縁部が接合されているプリーツマスクであって、前記保形具は接合されている周縁部間に挿入されており、且つ、顎や口の動きに追従してプリーツマスクと顔面との気密性を確保したことを特徴とするプリーツマスク。
【請求項２】
保形具の左右のフレームをアーチ形状にしたことを特徴とする請求項１記載のプリーツマスク。
【考案の詳細な説明】
【技術分野】
【０００１】
医療、食品衛生、一般産業分野、花粉症対策及び日常生活において、衛生上用いられるプリーツマスクに関し、特に装着者の顎や口の動きに追従しうるようにした密着性に優れたプリーツマスクに関する。
【背景技術】
【０００２】
通常マスクは、ガーゼ、不織布などのろ過材の内側に顔面に接触する接顔布とが接合されているが、最近、医療、食品衛生、一般産業分野や日常生活分野で、捕集対象の粒子の漏れ込みを防ぎ、また自分の呼気をろ過材以外の箇所から直接外気中に排出しないように、ろ過材にプリーツを設けたプリーツマスクが広く使用されるようになってきた。しかし、プリーツを有するフィルターに接顔布を接合すると、プリーツ（襞）があるため人間の顔の鼻や口部及び顎付近を覆いしめ紐を耳にかけて装着しても鼻の両脇、口の両脇等特に起伏のある箇所にすき間が開き易く、そのため、防護性能が悪くなる。また、鼻の両脇にすき間ができることで、そのすき間から呼気が抜けるため、メガネが曇るといった不具合がある。
そこで、本考案者らは先にフィルターの周縁部と接顔布との周縁部とが接合されている間に保形具を挿入して密着性の良好なプリーツマスクを提案した（特許文献１）。しかし、その後このマスクの装着中に大きな声で会話をしても顎の動きに追従して顔面との気密性を確保できるようなプリーツマスクを要求されるようになった。
【特許文献１】実用新案登録第３１０５６１７号公報
【考案の開示】
【考案が解決しようとする課題】
【０００３】
そこで、本考案はろ過材にプリーツを設けたプリーツマスクにおいて、装着者の顎や口の動きに追従して顔面との気密性を確保できるようなプリーツマスクを提供する。
【課題を解決するための手段】
【０００４】
本考案は、プリーツを有するフィルターと、接顔布と、顔面の形状に沿った立体形状を有する保形具とからなり、前記フィルタの周縁部と接顔布との周縁部が接合されているプリーツマスクであって、前記保形具は接合されている周縁部間に挿入されており、且つ、顎や口の動きに追従してプリーツマスクと顔面との気密性を確保したことを特徴とするプリーツマスクである。そして、本考案において、保形具の左右のフレームをアーチ形状にすることにより顎や口の動きに追従可能な保形具を用いることが好ましい。
【考案の効果】
【０００５】
本考案においては、保形具として顎や口の動きに追従出来るような保形具を使用したので装着者が大きな声で話しても常に顔面との密着性を確保することが出来る。
【考案を実施するための最良の形態】
【０００６】
本考案について詳細に述べる。
本考案において使用するフィルターの材質は不織布、ガーゼ等の通常マスクの場合と異ならず、本考案はこれにプリーツを設けたものである。
接顔布に使用する生地としては、伸縮性を有するナイロン繊維、ポリエステル繊維、ポリプロピレン繊維等何れでもよい。この生地にポリウレタン或いはポリエステル等の軟質樹脂を張り合わせることで、弾力性をもち、肌触りが良好で粉じん、細菌などの粒子が透過しない素材となるので好ましい。そして、この接顔布は鼻の両脇及び口の両脇等の起伏のある部分を切断しておき、装着者の口辺及び鼻が当たらないようにしてある。
プリーツを有するフィルターの周縁部と接顔布の周縁部とを接合してプリーツマスクとする。フィルターと接顔布との接合手段として縫製したり、接着剤で接着したり或いは溶着したり等何れの手段でもよいが、気密性の点から溶着することが好ましい。
【０００７】
そして、本考案におけるプリーツマスクにおいては、折り目を開いたときにできる空間に顔の輪郭に沿った保形具が挿入されているので顔面と接触布の生地に張りを保たせることが出来、密着性は良好であるが、更に、保形具として装着者の顎や口の動きに追従可能な形状を有する保形具を使用することによって顔面と接顔布との密着性が向上するものである。
顎や口の動きに追従可能な形状を有する保形具としては、例えば保形具の左右のフレームをアーチ形状や伸縮ばね形状にしたり、或いは中心部のフレームをその中央で欠いたり、弾性（復元性）を有する材料、例えば、軟質のプラスチック樹脂を用いたりする等何れの方法によっても良いが、アーチフレームの断面が約３〜７ｍｍ程度の弾力性を有するポリエチレン、ポリプロピレンまたはポリアセタールでアーチ形状とすることが好ましい。
そして、本考案においては装着時に顎や口の動きに追従可能な形状を有する保形具を挿入したことにより、接顔布がプリーツマスクのろ過部に接触しないため、ろ過部の面積を無駄なく利用することができ、マスクの性能を有効に利用することが可能になる。また、口元に空間が生まれることにより、唇が直接ろ過部に触れることがなく、マスク装着時に大きな声で会話をしても口や顎の動きに追従可能であり、顔面との気密性を確保できる。更に、プリーツマスクの折り目を開いたときにできる空間に、保形具の左右のフレームをアーチ形状にしたので、顔の輪郭に沿った保形具を挿入することで、顔面との接顔布の生地に張りを持たせることができ、より密着性を増すことが可能となる。
【実施例】
【０００８】
実施例として本考案にかかるプリーツマスクを図をもって示す。図１は本考案に係るプリーツマスクの外観の斜視図、図２はその背面図である。そして、図３は左右のフレームをアーチ形状にした保形具の外観の側面図であり、図４及び図５は口の動きに追従して保形具の動きを示した説明図であって、図４は口を閉ざした状態、図５は口を開いた状態を示す。図１においてフィルタ１にはプリーツ３が設けられており、装着者の顔に接する側には図２に示すように、接顔布２がある。接顔布２は装着者の鼻の両脇及び口の両脇等の起伏のある部分が切り抜かれている。そして、マスクの外周はフィルタ１と接顔布２とのそれぞれの周縁部が溶着され溶着部４を形成し、ここに保形具６が挿入されており、また、この溶着部より左右両側にしめ紐５が設けられている。
図３は保形具６の側面図である。保形具５は顔面の立体形状に沿って任意の本数のフレームで構成されているが、その左右両側のサイドフレーム７はアーチ形状であり、また、中心のフレーム８はその中央部が欠けていることが好ましく、下部のフレーム９は装着者の顎に当たるようにすることが好ましい。これらのフレームは弾性を有する合成樹脂等で形成されている。
図４及び図５は、装着者が上記の保形具を有するマスクを装着したときの状態を示した説明図であり、図４は口を閉ざした状態、図５は口を開いた状態を示す。しかして装着者が声を発すると、保形具のサイドフレームがアーチ形状をしているので、装着者の顎の動きに追従して保形具の下部フレーム９が動き、これによって気密性を確保することが出来る。
【産業上の利用可能性】
【０００９】
本考案に係るプリーツマスクは装着者が声を発したとき保形具がフレキシブルに動くので、顔面との気密性を確保することが出来るので、医療、食品衛生、一般産業、花粉症対策及び日常生活において衛生上使用することができる。
【図面の簡単な説明】
【００１０】
【図１】本考案にかかるプリーツマスクの外観斜視図
【図２】図１のプリーツマスクの背面図
【図３】左右のフレームをアーチ形状にした保形具の側面図
【図４】保形具の動きを示した説明図（口を閉ざした状態）
【図５】保形具の動きを示した説明図（口を開いた状態）
【符号の説明】
【００１１】
１  フィルタ      ２  接顔布      ３  プリーツ      ４  溶着部
５  しめひも      ６  保形具      ７  サイドフレーム
８  中心フレーム  ９  下部フレーム
【図１】
0003117120.tif 000003
【図２】
0003117120.tif 000004
【図３】
0003117120.tif 000005
【図４】
0003117120.tif 000006
【図５】
0003117120.tif 000007